(57)【特許請求の範囲】
【請求項１】
表面に直角の方向の押圧に強く、かつ面内方向の押圧に弱くて変形するシ−ト状物（１）に、引っ張り強度と耐水性に優れ、かつコンクリ−トから剥離しやすいフィルム状物（２）を貼着してなる抜き取り補助部材（３）を、セパレ−タ本体（４）に管状に被覆し、セパレータを回転して抜き取る時、フィルム状物（２）に生じる引っ張り力でシ−ト状物（１）を潰して抜き取ることを特徴とする抜き取り補助部材付きセパレ−タ。
【請求項２】
セパレ−タが螺入されるねじ穴（５）の開口部に、請求項１記載のセパレータの抜き取り補助部材（３）の直径に等しい口径の切欠段部（６）を設けたことを特徴とする切欠段部付きコ−ン。
【請求項３】
セパレ−タが螺入されるねじ孔（７）の開口部に、請求項１記載のセパレータの抜き取り補助部材（３）の直径に等しい口径の切欠段部（６）を設けたことを特徴とする切欠段部付きセパレ−タ座。
【発明の詳細な説明】
【０００１】
【発明の属する技術分野】
本発明は、コンクリート打設後に、型枠の位置保持に使用されたセパレータを抜き取ることにより、残留セパレータに起因する漏水などの欠点を解消したセパレータ、及び該セパレータと組み合わせて使用するコーン並びにセパレータ座に関する。
【０００２】
【従来の技術】
従来、型枠の位置保持に使用されるセパレータは、コンクリート打設後も、コンクリートの壁の中に残留していて、取り外すことはほとんど行われていなかった。そのため、外壁に突出しているセパレータが錆びて外壁を汚したり、外壁を貫通しているセパレータ回りのブリージング現象によって生ずる空隙から漏水したりするので、これらの不具合を解消するため、外壁側にコーンを使用して、セパレータの長さを外壁よりも少し内側になるように短くし、コーンを外した跡にモルタルを充填するか、シーリング剤で止水処理をして、セパレータ回りの錆や漏水による不具合を解消することが行われている。
【０００３】
低温倉庫の外壁は、断熱パネルを型枠として外壁のコンクリートを施工することが行われており、この場合も型枠と断熱パネルによる型枠の位置保持にセパレータが使用され、コンクリート打設後もセパレータを取り外すことは行われていない。セパレータは鉄製なので熱伝導率が高く、そのため内外の温度差により断熱パネルとコンクリート壁の界面に結露が発生し、内壁を汚す不具合がある。
【０００４】
地下外周壁の場合の山止め壁を外型枠にする場合は、山止め壁に取り付ける無数のセパレータ回りの防水処理に手間がかかるばかりでなく、施工ミスが生じ易いため、地下外周壁からの漏水を外側で防水することよりも、内側に排水溝を設けて漏水を集めポンプアップして排出する、いわゆる地下二重壁工法がよく行われている。この場合、山止め壁にセパレータを取り付け内型枠の位置保持をしてから、型枠を組み立ててコンクリートを打設するが、セパレータの回りからの漏水を止めるために、セパレータの軸部に水膨張性ペースト状ポリウレタン樹脂を塗布した、実公平３−４９２３８号公報開示の考案が知られている。
【０００５】
集合住宅の場合など隣棟間隔の狭い外壁では、型枠の組み立てと解体ができるスペースを確保するために、５０〜６０ｃｍ程度離すことが必要であり、この隙間が無駄なスペースとなるため、片側の外壁のコンクリート打設後に、厚さ１０ｃｍ程度のフォームポリスチレンなどを間に入れて埋め殺し型枠とし、反対側の型枠を組み立てコンクリートを打設することが行われている。この場合、片側の外壁からフォームポリスチレンを貫通して反対側の型枠の位置保持にセパレータが使用される。それぞれの建物が無数のセパレータで緊結されているため、それぞれの建物の温度変化などによる伸縮によって、セパレータが引っ張られたり圧縮されたりして、軋み音が発生する不具合がある。
【０００６】
そこで、コンクリートが硬化した後にセパレータを取り外し、取り外し跡にモルタルを充填することにより、セパレータ回りからの漏水や軋み音の発生を防止する手段が提案されており、例えば実開昭６２−１９４８６０号公報や、特開昭５２−１０１８２９号公報や、特開平２−１４４４７４号公報の発明考案が知られている。
【０００７】
特開平２−１４４４７４号公報に開示されたセパレータは、管部材に引き抜き可能にセパレータを挿入したものであって、隣棟間隔の狭い建物の場合も作業を行うことができると共に、セパレータを回収して再使用することを目的とするものである。
【０００８】
特開昭５２−１０１８２９号公報に開示されたセパレータは、金属杆の両端部にねじを切り、片側にねじ止め用突条を設け、反対側に座金受止用突条とスパナ掛け用二面取部を設け、両突条間に軟質プラスチックチューブを緩く外挿したものであって、枠組みと解体の工数を減少させると共に、軟質プラスチックチューブで保護されているため、損傷なくセパレータを抜き取ることにより、セパレータを繰り返し使用できることを目的とするものである。
【０００９】
実開昭６２−１９４８６０号公報に開示されたセパレータは、セパレータの外周にプラスチック等の耐蝕性材料よりなるスリーブを、相対的に摺動自在に嵌装している事を特徴とし、スリーブとコーンを一体にしたもので、コンクリート打設後にセパレータを抜き取る際には、スリーブとコーンがコンクリートの中に残留し、スリーブとコーンを貫通しているセパレータのみを抜き取り、セパレータの転用を可能にしたものである。
【００１０】
セパレータを型枠に取り付けるに際しては、セパレータが壁から突出することによって錆が発生し、壁面を汚すことを避けるためにセパレータを壁の厚さよりも短くし、外壁の外側にコーンを取り付けて、セパレータを壁面に埋め込むことが行われている。コーンは円錐台形を呈する合成樹脂製又は木製のものであり、中央にねじを切った貫通孔又は有底の穴が明けられており、このねじ孔又はねじ穴へ、セパレータの両端のねじ部を螺入して接続される。ねじ孔又はねじ穴は強度が必要なので、この部分は鉄で作られている。コーンの寸法形状については、使用される型枠やコンクリートのかぶり厚さに対応して、高さやねじ孔又はねじ穴の長さが相違する。
【００１１】
外壁に断熱パネルや埋め殺し型枠が使用される場合は、断熱パネルや埋め殺し型枠がコンクリート打設に際しての強い押圧に耐えて変形しないように、セパレータのねじ部にセパレータ座を取り付けることが行われている。セパレータ座は中央を高くした円盤状であって、中央にねじ孔を設けたものであり、このねじ孔にセパレータを螺入して、両者を結合して使用する。
【００１２】
【発明が解決しようとする課題】
スリーブやプラスチックチューブや、管部材を外挿したセパレータの場合は、打設コンクリート硬化後にセパレータは抜き取られるが、スリーブやプラスチックチューブや管部材が、コンクリート内に残留したままとなるので、これらの残留物回りからの漏水などの不具合を、免れることができない点が問題である。
【００１３】
従来のコーンやセパレータ座を、本発明のセパレータと組み合わせて使用することは不可能ではないが、セパレータとの当接部に打設コンクリートのノロが回り込み、不具合を生ずる恐れがある。
【００１４】
本発明は、上記従来のセパレータの取り付け部からの漏水やセパレータに発生する錆による不具合や、外壁を貫通しているセパレータ部の内外の温度差により壁面に発生する結露による不具合や、隣棟間隔の狭い外壁間を貫通するセパレータから発生する軋み音による不具合などを解消すると共に、抜き取ることができる従来のセパレータの、チューブなどの残留により生ずる漏水などの不具合を解消した、抜き取り補助部材付きセパレータを提供し、このセパレータを十分に密着させることにより、コンクリート打設時のノロの侵入を防止するコーン及びセパレータ座を提供することを目的とする。
【００１５】
【課題を解決するための手段】
請求項１の発明は、シート状物１にフィルム状物２を貼着してなる抜き取り補助部材３を、セパレータ本体４に管状に被覆した、抜き取り補助部材付きセパレータであって、シート状物１としては表面に直角の方向の押圧には強く、かつ面内方向の押圧に弱くて変形する特性のある材料が使用され、フィルム状物２としては引っ張り強度と耐水性に優れ、かつコンクリートから剥離しやすい特性のある材料が使用される。この抜き取り補助部材３のセパレータへの取り付け態様には、セパレータの端部の雄ねじ部１０の基部に、抜き取り補助部材３のフィルム状物２の一端を係止させる場合と、抜き取り補助部材３の一辺をセパレータ本体４に固着して巻き付ける場合とがある。
【００１６】
請求項２及び３の発明は、通常のコーン８又はセパレータ座９のねじ穴５又はねじ孔７の開口部に、請求項１の発明のセパレータの抜き取り補助部材３の直径に等しい口径の切欠段部６を設けたものである。
【００１７】
【発明の実施の形態】
本発明の抜き取り補助部材付きセパレータに使用する抜き取り補助部材３は、シート状物１にフィルム状物２を貼着したものである。シート状物１としては不織布や、グラスウールシートや、気泡緩衝材シートや、耐水性コルゲートコアシートなどが使用される。コルゲートコアシートは、合成樹脂を含浸した紙製のコルゲートコアシートや、合成樹脂をラミネートした紙製のコルゲートコアシートや、合成樹脂薄板製のコルゲートコアシートや、アルミニウム箔などの金属箔製のコルゲートコアシートであり、波のピッチは１．５〜３ｍｍのものである。また、コルゲートコアシートの変形として、合成樹脂を押出し成型したパイプを円筒状に連続接着したシート状物１や、金属箔パイプを円筒状に連続接着したシート状物１も使用される。コルゲートコアシートは、セパレータの側面を円筒状に被覆するので、片面コルゲートコアシートが適しているが、円筒加工した両面コルゲートコアシートいわゆる段ボールシートも使用される。これらのシート状物１は厚さ２〜５ｍｍであって、歪率１０〜１５％のときの圧縮強度が、１．０〜１．５ｋｇ／ｃｍ２のものが適している。この程度の圧縮強度を有しておれば、表面に直角の方向の押圧に強く、コンクリート打設時の押圧に十分耐え、抜き取り補助部材３が潰れて変形するようなことはない。更に面内方向の押圧には弱くて変形する特性を備えている。
【００１８】
フィルム状物２としては、ビニル系プラスチックフィルムやポリエステル系プラスチックフィルムや、ポリエチレンフィルムなどであって、厚さが０．０７５〜０．１ｍｍであれば、ほとんどのものは引っ張り強さが１．１〜２．１ｋｇ／ｍｍ２で、引裂き強さが１１．７〜１０３ｋｇ／ｃｍ２であるから、強度が十分で使用できる。また、合成樹脂を含浸した紙にポリエチレン樹脂などをラミネートした紙も使用可能である。これらのフィルム状物２は、引っ張り強度と耐水性に優れ、コンクリートからは剥離しやすい特性を有しており、本発明のセパレータの抜き取りに際して、抜き取り補助部材３が容易にコンクリートから剥離し、フィルム状物２が千切れて抜き取りを困難にすることもない。上記のシート状物１にフィルム状物２を、その材料に適応した接着剤によって貼着したものが抜き取り補助部材３である。
【００１９】
セパレータは鉄製で丸セパと称する通常の形状のもの、すなわち両端部にはコーン８や座金などへ螺入するための雄ねじが切ってある棒状体であり、ねじ径が７．９ｍｍ又は９．５ｍｍのものであって、使用箇所の壁厚に対応した長さであり、雄ねじ部１０の長さも、使用するコーン８や型枠締付部材１４に対応したものである。中央部のねじを切っていない部分がセパレータ本体４である。なお、図１の抜き取り補助部材の一端をねじ部に係止したセパレータの縦断面図に示すように、片方の雄ねじ部１０の先端部に、図示しない取外し治具を嵌合して、セパレータを回転させて抜き取るための、取外し治具嵌合部１１を有するセパレータが使用される。取外し治具嵌合部１１は、図１に示すように雄ねじ部１０の先端部において、両側面を欠き取って横断面欠円状とした部分であって、欠き取られない部分にはねじ山が残存している。このセパレータでは、リング１２により抜き取り補助部材３の一端を遊嵌係止してあり、反リング側からセパレータを抜き取るので、反リング側の雄ねじ部１０の先端部に取外し治具嵌合部１１を設けてある。また、後述の抜き取り補助部材３の一辺をセパレータ本体４に固定したセパレータの場合は、壁の外側からでも内側からでも抜き取ることができるものであるから、外壁の態様に応じて、両側又は片側の雄ねじ部１０の先端部に設ける。なお雄ねじ部１０の基部を、２ピッチ分だけねじ山を切除してあるものが、フィルム状物２の一端を係止させる場合のセパレータに適している。
【００２０】
本発明の抜き取り補助部材付きセパレータの作り方には二つの方法がある。一つは抜き取り補助部材３の一端を、セパレータの雄ねじ部１０の基部に遊嵌係止させるものであり、その構成は図１に示すとおりである。例えば不織布よりなるシート状物１を、セパレータ本体４を被覆する太さの管状に成形し、これにフィルム状物２としてのポリカーボネートフィルムを、一端部においてシート状物１よりも長い状態に貼着して抜き取り補助部材３とする。従って抜き取り補助部材３は、一端部ではフィルム状物２がシート状物１よりも延長されて、シート状物１が存在していない状態であり、他の部分はシート状物１とフィルム状物２が積層された状態の管状のものである。
【００２１】
フィルム状物２の延長部を図１に示すように、リング１２の位置で反転させてシート状物１の部分まで被せ、更に接着剤で固定した抜き取り補助部材３の中へセパレータの雄ねじ部１０を、シート状物１とフィルム状物２の積層側から、すなわち図１において右側から左側へ向けて挿し込み、更にセパレータ本体４を回しながら挿入すると、リング１２は雄ねじ部１０を移動し、雄ねじ部１０の基部のねじ山のない部分に至ってフィルム状物２が雄ねじ部１０係止される。リング１２は径０．５〜１．０ｍｍの鉄線で作られ、セパレータの径７．９ｍｍと９．５ｍｍに対応する、径７．４ｍｍと９．０ｍｍの環であるが、一部を切断してねじ谷１ピッチ分ずらせて開いた開環体であり、雄ねじ部１０のねじ谷に嵌まって螺入されるものである。このようにすると、セパレータ本体４は抜き取り補助部材３で管状に被覆され、一端が雄ねじ部１０の基部にリング１２と共に遊嵌係止された状態になっている。リング１２は、雄ねじ部１０の基部に遊嵌された状態であるが、セパレータの長手外側方向へ押されても、ねじ山に乗れないから移動できなく、またセパレータを回転してもねじ谷に嵌まらないから移動することができない。このことはセパレータの抜き取りに際しての重要な働きである。この抜き取り補助部材３は、コンクリート打設時にセパレータの表面方向への押圧に十分耐え、セパレータ長手方向への押圧には弱く、シート状物１が変形するものになっており、かつフィルム状物２をコンクリートから容易に剥離することができる。この態様の抜き取り補助部材付きセパレータを以下「Ａ型セパレータ」と呼ぶ。
【００２２】
他の態様の抜き取り補助部材付きセパレータの構成を、図２の抜き取り補助部材の一辺をセパレータ本体に固定した抜き取り補助部材付きセパレータの横断面図に示す。例えばシート状物１として、合成樹脂薄板製の片面コルゲートコアシートを使用し、フィルム状物２としてポリエチレン樹脂をラミネートしたライナー紙を使用する。まずフィルム状物２の一辺を、適応する接着剤によってセパレータ本体４に長手方向に接着する。次いで図２に示すようにシート状物１をフィルム状物２の接着部に沿ってセパレータ本体４に当て、その上にフィルム状物２を重ねて１回巻き込む。この際段頂に接着剤を塗布して巻き込むと、セパレータ本体４が巻物状に抜き取り補助部材３で被覆された状態となるから、余分のシート状物１を切断し、その切断部を接着剤で固定する。この場合、抜き取り補助部材３はセパレータ本体４よりも少し長くしておき、両端部が雄ねじ部１０に多少延長された状態であったほうが、セパレータ取り付け上で都合がよい。この抜き取り補助部材３は、コンクリート打設時のセパレータ表面方向への押圧には十分耐え、セパレータ円周方向への押圧には弱く、セパレータを回転することによってシート状物１が変形し潰れて細くなる。この態様の抜き取り補助部材付きセパレータを以下「Ｂ型セパレータ」と呼ぶ。
【００２３】
本発明の抜き取り補助部材付きセパレータは、セパレータを抜き取る側にコーンを使用し、反対側は外壁の態様により、座金、コーン、セパレータ座、矢板金物を使用する。例えば、外壁にタイル貼りなどの仕上げをする普通型枠の場合は座金を使用し、外壁に仕上げをしないいわゆる打ち放し仕上げの場合はコーンを使用し、断熱パネルなどを打ち込む場合はセパレータ座を使用し、外壁が山留壁の場合は矢板金物を使用するなどであって、これらの従来の座金やコーンやセパレータ座や矢板金物を使用した場合は、本発明のセパレータの抜き取り補助部材３が、これらの従来のコーンなどに十分に密着しないので、コンクリートのノロが抜き取り補助部材３と従来のコーンなどとの当接部へ回り込み不具合を生ずるので、その当接部にビニールテープを巻き付けて、目止めをして使用する必要がある。不具合なく使用するには、本発明のコーン８又はセパレータ座９とを組み合わせることである。
【００２４】
請求項２の発明のコーン８は、図３のコーンの斜視図に示すように、円錐台形を呈する合成樹脂製又は木製のものであり、小径端面中央にはねじ穴５が明けられており、その開口部には抜き取り補助部材３を挿入するための切欠段部６を設けてある。この切欠段部６の口径は、抜き取り補助部材３の直径に等しいものである。ねじ穴５の部分は強度が必要なので鉄で作られている。なお、大径端面中央には型枠締付部材１４が螺入される雄ねじ杆１５を突設してある。コーン８の寸法形状については、使用される型枠締付部材１４やコンクリートのかぶり厚さにより、高さやねじ穴５の深さが相違する。
【００２５】
請求項３の発明のセパレータ座９は、図４のセパレータ座の斜視図に示すように、円盤状であって中央に雌ねじ杆１７を突設してあり、雌ねじ杆１７のねじ孔７は円盤状の部分まで貫通している。この雌ねじ杆１７の開口部には、セパレータの抜き取り補助部材３を挿入するための切欠段部６を設けてある。この切欠段部６の口径は、抜き取り補助部材３の直径に等しいものである。セパレータ座９のねじ孔７にセパレータの雄ねじ部１０を螺入して、両者を結合して使用することになる。
【００２６】
本発明のコーン８のＡ型セパレータへの取り付け方法、及び型枠１６への取り付け方法を説明する。図５は、抜き取り補助部材の一端を係止した態様の場合の型枠へのセパレータ取り付け状態を示す縦断面図であり、外側がコンクリート打ち放し仕上げの外壁１３の場合であり、Ａ型セパレータの外側の雄ねじ部１０へコーン８を螺着し、内側に座金２８を螺着する場合である。座金２８は６角板状であって、中央にねじ孔が明いているものである。先ず、片側に取外し治具嵌合部１１を設けたＡ型セパレータの反対側、すなわち抜き取り補助部材３係止側の雄ねじ部１０に、座金２８のねじ孔を螺合させる。この場合、座金２８と抜き取り補助部材３との当接部に、ビニールテープを巻き付けて目止めをする。これによってコンクリート打設時のノロの回り込みが防止される。他方の雄ねじ部１０にはコーン８を螺入するが、抜き取り補助部材３の端部を十分に切欠段部６へ嵌め込んでおく。座金２８とコーン８の大径端面間の間隔は、所定の間隔すなわち外壁１３の厚さに等しい。このように座金２８とコーン８の間隔が一定になっているＡ型セパレータを、その工事に必要な本数だけ作成しておく。
【００２７】
抜き取り補助部材係止側の型枠１６を組み立てておき、型枠１６の所定位置すなわちセパレータ本体４の雄ねじ部１０が貫通する位置に明けてある貫通孔１８へ、雄ねじ部１０を入れ、座金２８を型枠１６に密着させる。次いで雄ねじ部１０へ、型枠締付部材１４のねじ穴５を螺合させ、端太材１９を当てた上に締付座金２０を当て、型枠締付部材１４の雄ねじ部１０に止めナット２１をねじ込み、締付座金２０を締め付けると、片方の型枠１６にＡ型セパレータが固定される。次にコンクリートが打設される外壁１３の部分に配筋を行い、他方のコーン８の取り付けに移る。コーン８の雄ねじ杆１５を他方の型枠１６の貫通孔１８へ挿入し、上記と同様に型枠締付部材１４を取り付け、端太材１９を当て更に締付座金２０を当て、止めナット２１によって締付座金２０を締め付けると、両方の型枠１６は一定の間隔を保って組み立てられることになる。型枠１６の組み立てが終わると、両型枠１６の間へコンクリートを打設して養生し、硬化を待つ。
【００２８】
次にＢ型セパレータにコーン８と、セパレータ座９を取り付ける場合の取り付け方法、及び型枠１６への取り付け方法を説明する。図６は、セパレータ本体に抜き取り補助部材の１辺を固着した態様の場合の型枠へのセパレータ取り付け状態を示す縦断面図であり、室外側に断熱パネル２２を取り付ける場合である。外壁断熱工法には、断熱材が外壁の外側にある外断熱工法と、外壁の内側にある内断熱工法とがあり、本発明のセパレータはいずれの場合にも使用することができる。図６は外断熱工法の場合である。Ｂ型セパレータの取外し治具嵌合部１１のある雄ねじ部１０を、室内側のコーン８のねじ穴５へ螺入し、室外側になる方にはセパレータ座９のねじ孔７へ、セパレータの雄ねじ部１０を螺入する。コーン８の大径端面とセパレータ座９の大径端面との間隔は所定の間隔になっている。抜き取り補助部材３の端部を切欠段部６に確りと嵌め込む。このようにコーン８とセパレータ座９との間隔を一定にしたＢ型セパレータを、その工事に必要な本数だけ作成しておく。
【００２９】
Ｂ型セパレータを使用した型枠１６の組み立て手順は、コーン８側については上記のＡ型セパレータの場合と同様である。セパレータ座９側においては、セパレータ座９のねじ孔７へ断熱材２２と型枠１６との厚さよりも遥かに長いねじを切った軸足２３を螺入して、この軸足２３を断熱材２２に設けた貫通孔１８へ挿入し、更に型枠１６に設けた貫通孔１８へ挿入して、先端部を型枠１６から突出させる。次にこの突出部に型枠締付部材１４のねじ穴５を螺合させ、端太材１９を当てた上に締付座金２０を当て、型枠締付部材１４の雄ねじ部１０に止めナット２１を螺合することにより、締付座金２０を締め付けると、室外側の型枠１６にセパレータ座９を介してＢ型セパレータが固定される。型枠１６の組み立てが終わると、型枠１６と断熱パネル２２との間へコンクリートを打設して養生し、硬化を待つ。
【００３０】
次に、Ａ型セパレータを使用したコンクリート打ち放し仕上げの外壁１３の場合の、Ａ型セパレータの抜き取りと抜き取り跡の処理について説明する。図５において片側の型枠締付部材１４の止めナット２１を外し、締付座金２０を外し、端太材１９を外し、型枠締付部材１４を回転して雄ねじ杆１５から離脱させる。次に型枠１６を解体し、更にもう一方の側の型枠１６も同じ要領で解体する。ついで、抜き取り補助部材３が固定されていない側のコーン８を回して、セパレータの雄ねじ部１０からコーン８のねじ穴５を離脱させると、コーン８の取り外しができる。
【００３１】
次に、セパレータの雄ねじ部１０に設けた取外し治具嵌合部１１に、図示しない取外し治具を嵌めてセパレータを回転させる。抜取り補助部材３のフィルム状物２の端部は、セパレータに固定されているのではなく、リング１２と共に雄ねじ部１０のねじのない基部に遊嵌係止されているのみであるから、セパレータの回転に拘わらずフィルム状物２もリング１２も回転することはない。従ってフィルム状物２を動かすことなく、セパレータの雄ねじ部１０を、座金２８のねじ孔から抜き取ることができる。このことは非常に重要なことであって、もしリング１２によってフィルム状物２がセパレータに固定されていたとすれば、フィルム状物２も回転しようとしてねじ切れることになる。次に、取外し治具嵌合部１１を引っ張ると、リング１２で係止されているフィルム状物２の延長部が引っ張られ、シート状物１に面内方向の押圧を与えてシート状物１が変形し、フィルム状物２と共に裏返しに反転し始める。更にセパレータを引っ張ると、セパレータが抜けることによって生じた空間に、抜き取り補助部材３がシート状物１を変形させながら反転して入り込む。この際、フィルム状物２は引っ張り強度が優れているので、裂けたり切断したりすることがない。このようにしてセパレータは抜き取り補助部材３と共に抜き取られ、セパレータの先端に裏返しになった抜き取り補助部材３が繋がった状態になっている。
【００３２】
図５左側の座金２８はコンクリートに埋まっているが、拘束するものがないので容易に取り外すことができ、座金２８とセパレータが抜けた跡に貫通空洞を持つコンクリートの外壁１３ができている。この貫通空洞へ図７のセパレータ抜き取り跡の処理を示す縦断面図に示すように、貫通空洞の中央から室内側全域にわたって無収縮コンクリート２５を充填し、室外側のコーン跡には止水材２４を充填すると、コンクリート打ち放し仕上げ外壁１３が完成する。
【００３３】
コーン８とセパレータ座９とを使用したＢ型セパレータの場合は、先ず図６左側の止めナット２１を緩めて外し、締付座金２０を外し、端太材１９を外し、更に型枠締付部材１４を外すと、型枠１６は自由になるからこれを解体する。もう一方の側の型枠１６も同様に解体する。次にコーン８を回して、セパレータの雄ねじ部１０をコーン８のねじ穴５から離脱させて、コーン８を取り出す。コンクリート打設時の押圧により、抜き取り補助部材３は強く押圧され、フィルム状物２の当接面に強い摩擦力が働き、フィルム状物２は係止状態になっている。次にセパレータの雄ねじ部１０に設けた取外し治具嵌合部１１へ、取外し治具を嵌めて回転させると、抜き取り補助部材３の１辺がセパレータ本体４に固着されているので、シート状物１に面内方向の押圧が加わり、シート状物１は変形して体積を縮小して細くなろうとする。このとき、フィルム状物２にはコンクリートとの摩擦力が働いているから、シート状物１の回転に伴ってフィルム状物２が直ちに移動することがなく、シート状物１がある程度変形した時点で、フィルム状物２がコンクリートから剥離し、セパレータ本体４と共に回転する。回転を続けると図６右側の雄ねじ部１０は、セパレータ座９のねじ孔７から離脱するので、取外し治具嵌合部１１を引っ張ることにより、容易にＢ型セパレータを抜き取ることができる。
【００３４】
セパレータ座９側については、止めナット２１、締付座金２０、端太材１９型枠締付部材１４を外したあと、型枠１６は自由になるからこれを解体する。次に軸足２３を回すと上記と同様に貫通空洞を持つ外壁１３になっているが、断熱パネル２２の内側にはセパレータ座９が残存している。
そこで、図８の断熱パネルのある壁のセパレータ抜き取り跡の処理を示す縦断面図に示すように、貫通空洞の室内側には無収縮モルタル２５を充填し、断熱パネル２２を貫通していた軸足２３取外し跡には、バックアップ材２６を挿入し、更にシーリング材２７を充填すると、室外側に断熱パネル２２を張った壁が完成する。
【００３５】
なお、本発明のセパレータ、コーン及びセパレータ座は、余掘りのある場合の地下外周壁や、低温倉庫の外壁、隣棟間隔の狭い場合の壁、山止め壁を外型枠にする場合に使用されるほか、内側からセパレータを抜き取ることができるので、大型パネル工法にも使用することができる。
【００３６】
【発明の効果】
本発明のセパレータは、種々の壁の施工に使用され、コンクリート打設後に抜き取って、その抜き取り跡の貫通空洞に無収縮モルタルなどを充填するものであるから、セパレータが壁内に残留していないので、セパレータが残留する従来の壁の場合のような、残留セパレータの回りからの漏水、セパレータの発錆による壁の汚染、隣棟建物の場合のセパレータの引っ張りと圧縮に起因する軋み音の発生、セパレータの高熱伝導性に起因する内壁の結露などの欠点が完全に防止される顕著な効果がある。また、セパレータに被せたチューブなどの異物が残留する従来の壁の場合のように、セパレータの抜き取り跡の止水処理が十分にできないための漏水の欠点が解消できる効果がある。更に、セパレータは抜き取るものであるから、回収したセパレータ本体に、再度抜き取り補助部材を取り付ければ、再使用することができる効果もあり、また大型パネル工法に使用することによる工期短縮の効果がある。
【００３７】
また、本発明のコーン及びセパレータ座は、本発明のセパレータと共に使用することにより、セパレータとの当接状態が良好で、打設コンクリートの回り込みをなくする効果がある。
【図面の簡単な説明】
【図１】抜き取り補助部材の一端をねじ部に係止したセパレータの縦断面図である。
【図２】抜き取り補助部材の一辺をセパレータ本体に固定した抜き取り補助部材付きセパレータの横断面図である。
【図３】コーンの斜視図である。
【図４】セパレータ座に軸足を取り付けた状態の斜視図である。
【図５】抜き取り補助部材の一端を係止した態様の場合の型枠へのセパレータ取り付け状態を示す縦断面図である。
【図６】セパレータ本体に抜き取り補助部材の一辺を固着した態様の場合の型枠へのセパレータ取り付け状態を示す縦断面図である。
【図７】セパレータ抜き取り跡の処理を示す縦断面図である。
【図８】断熱パネルのある壁のセパレータ抜き取り跡の処理を示す縦断面図である。
【符号の説明】
１    シート状物
２    フィルム状物
３    抜き取り補助部材
４    セパレータ本体
５    ねじ穴
６    切欠段部
７    ねじ孔
８    コーン
９    セパレータ座
１０  雄ねじ部
１１  取外し治具嵌合部
１２  リング
１３  外壁
１４  型枠締付部材
１５  雄ねじ杆
１７  雌ねじ杆
１８  貫通孔
２８  座金
【図１】
0003867870.tif 000002
【図２】
0003867870.tif 000003
【図３】
0003867870.tif 000004
【図４】
0003867870.tif 000005
【図５】
0003867870.tif 000006
【図６】
0003867870.tif 000007
【図７】
0003867870.tif 000008
【図８】
0003867870.tif 000009